(57)【特許請求の範囲】
【請求項１】
ショーケース本体の冷気吹出口の近傍に庫内を照明する照明器を備えた低温ショーケースにおいて、前記冷気吹出口は内層冷気吹出口及び外層冷気吹出口を有し、これら吹出口の間に形成された吹出口部材を光透過性材料で形成し、この光透過性材料で形成した吹出口部材の内部に前記照明器を収納したことを特徴とする低温ショーケース。
【請求項２】
ショーケース本体の冷気吹出口の近傍に庫内を照明する照明器を備えた低温ショーケースにおいて、前記冷気吹出口は３個の吹出口部材で囲まれて形成された内層冷気吹出口及び外層冷気吹出口を有し、各吹出口部材を光透過性材料で形成し、この光透過性材料で形成した各吹出口部材の内部に前記照明器を収納したことを特徴とする低温ショーケース。
【発明の詳細な説明】
【０００１】
【発明の属する技術分野】
本発明は、ショーケース本体の冷気吹出口の近傍に庫内を照明する照明器を備えた低温ショーケースに関する。
【０００２】
【従来の技術】
図５は従来の低温ショーケース５１上部の構造を示す断面図である。
【０００３】
この低温ショーケース５１は庫内５３を備え、この庫内５３には図示を省略した複数段の陳列棚が配設され、これら陳列棚の上には商品等が陳列される。また、前記庫内５３は庫内仕切板５５に囲まれ、この庫内仕切板５５の外側には通路仕切板５７で互いに仕切られた内層冷気通路５９と外層冷気通路６１が形成される。符号６３は断熱材を備えた断熱壁である。内層冷気通路５９の端部の内層冷気吹出口６５に内層用の整流器６７が設けられ、外層冷気通路６１の端部の外層冷気吹出口６９には外層用の整流器７１が設けられ、これらの整流器６７、７１は支持部材（吹出口部材）７３ａ〜７３ｃによって支持される。
【０００４】
冷却運転時、内層冷却通路５９内では、冷却器（図示せず）で冷却された冷気が実線矢印方向に導かれた後、内層用の整流器６７を介して吹き出される。また、前記外層冷気通路６１内では、内層冷気通路５９内の冷気より高温の冷気が破線矢印方向に導かれた後、外層用の整流器７１を介して吹き出される。
【０００５】
図中中央の支持部材７３ｂは内層冷気通路５９を移動する冷気によって温度が低下しており、外層用の整流器７１から吹き出された冷気は比較的温度が高いので、外層用の整流器７１から吹き出された冷気が支持部材７３ｂに接触すると、冷気が急激に冷却されて支持部材７３ｂで結露が発生する。また支持部材７３ｃも外層冷気通路６１を移動する冷気によって温度が低下しており、支持部材７３ｃの前面側の外気は比較的温度が高いので、この支持部材７３ｃに外気が接触すると、外気が急激に冷却されて支持部材７３ｃで結露が発生する。
【０００６】
この問題を解決するため、支持部材７３ｂ、７３ｃの内部に結露防止用のヒータ７５ｂ、７５ｃを挿入して、これら結露防止用ヒータ７５ｂ、７５ｃに通電して各整流器６７、７１の温度を上昇させることにより支持部材７３ｂ及び支持部材７３ｃの結露を防止していた。
【０００７】
また、従来、前記内層冷気吹出口６５の近傍、即ち庫内上部５３ａに蛍光灯（照明器）７９を設けると共に、ナイトカバー（図示せず）等を収納するオーバキャノピ７７の下面に蛍光灯８１を設け、これら蛍光灯７９、８１によって庫内上部５３ａ（最上段の陳列棚の上）を照明していた。
【０００８】
【発明が解決しようとする課題】
しかしながら、前述した従来の低温ショーケース５１では、支持部材７３ｂ、７３ｃの結露を防止するために結露防止用ヒータ７５ｂ、７５ｃを設けていたので、消費電力の上昇を招くと共に、部品点数や組立工数が増加し、製造コストが上昇するという問題がある。
【０００９】
また、▲１▼庫内上部５３ａは庫内５３で最も温度が低下する空間であり、冷却運転時に蛍光灯７９の雰囲気温度が最も低下し、従って、蛍光灯７９の照度も最も低下する。▲２▼最上段の陳列棚の上の庫内上部は庫内５３で最も広い空間を形成しており、しかも庫内上部５３ａの蛍光灯７９やオーバキャノピ７７の蛍光灯８１は最上段の陳列棚から遠い所に位置している。これら▲１▼及び▲２▼の理由により、庫内上部５３ａが比較的暗くなるという問題がある。
【００１０】
本発明の目的は、上述した従来の技術が有する課題を解消し、結露防止用ヒータを用いないで冷気吹出口の結露を防止することにより消費電力や製造コストの低減を図ることができ、また庫内上部の照度の照度低下を防止できる低温ショーケースを提供することにある。
【００１１】
【課題を解決するための手段】
請求項１記載の発明は、ショーケース本体の冷気吹出口の近傍に庫内を照明する照明器を備えた低温ショーケースにおいて、前記冷気吹出口は内層冷気吹出口及び外層冷気吹出口を有し、これら吹出口の間に形成された吹出口部材を光透過性材料で形成し、この光透過性材料で形成した吹出口部材の内部に前記照明器を収納したことを特徴とするものである。
【００１２】
この発明によれば、収納部に収納された照明器の輻射熱や照明器の発する熱によって吹出口部材の温度が上昇するので、冷気吹出口の近傍に発生する結露を防止することができる。従って、吹出口部材の結露を防止する結露防止用ヒータを設ける必要がなくなり、消費電力を低減できると共に、部品点数や組立工数が減少するので、低温ショーケースの製造コストを低減できる。
【００１３】
請求項２記載の発明は、ショーケース本体の冷気吹出口の近傍に庫内を照明する照明器を備えた低温ショーケースにおいて、前記冷気吹出口は３個の吹出口部材で囲まれて形成された内層冷気吹出口及び外層冷気吹出口を有し、各吹出口部材を光透過性材料で形成し、この光透過性材料で形成した各吹出口部材の内部に前記照明器を収納したことを特徴とするものである。
【００１９】
【発明の実施の形態】
以下、本発明の一実施形態を図面に基づいて説明する。
【００２０】
図１において、符号１は本実施形態による低温ショーケースを示す。この低温ショーケース１は、前面に開口３を有し、この開口３の奥に庫内５を備える。庫内５には４段の陳列棚７ａ〜７ｄが配設され、これらの陳列棚７ａ〜７ｄの上には商品（図示せず）等が陳列される。また、陳列棚７ａ〜７ｄの裏面には、蛍光灯９ａ〜９ｄが取り付けられ、これら蛍光灯９ａ〜９ｄはその下に陳列された商品を照明する。
【００２１】
庫内５は、図２に示すように、庫内仕切板１１に囲まれ、この庫内仕切板１１の外側には内層冷気通路１３と外層冷気通路１５とが形成される。これら内層冷気通路１３と外層冷気通路１５とは通路仕切板１７で仕切られ、また外層冷気通路１５の外側には断熱材を備えた断熱壁１９が設けられる。
【００２２】
また、下側の内層冷気通路１３及び下側外層冷気通路１５にはそれぞれ送風機２１（図中手前から奥に向けて並んでいる）が設けられ、背側の内層冷気通路１３には冷却器２３が設けられる。上側の内層冷気通路１３の内層冷気吹出口１３ａには内層用の整流器２５が設けられ、上側の外層冷気通路１５の外層冷気吹出口１５ａには外層用の整流器２７が設けられる。また、ショーケース本体の前面上部には、開口３を塞ぐナイトカバー（図示せず）等を収納するオーバキャノピ２９が設けられる。このオーバキャノピ２９は、従来のように、その下面に蛍光灯を設ける必要がないので、内部に収納されるナイトカバー等を他の部分に収納すれば、省略することができる。
【００２３】
内層冷気通路１３では冷却運転時に冷気が実線矢印方向に循環する。即ち、冷却器２３で冷却された冷気は、上昇した後、内層用の整流器２５を介して開口３に沿って吹き出され、冷気は内層エアカーテンＡを形成すると共に、庫内５を冷却する。冷気は内層用冷気吸込口１３ｂを介して内層冷気通路１３に吸い込まれ、再び冷却器２３に戻る。また、外層冷気通路１５にも内層冷気通路１３より高温の冷気が点線矢印方向に循環する。冷気は外層用の整流器２７を介して吹き出されて外層エアカーテンＢを形成し、外層用冷気吸込口１５ｂを介して外層冷気通路１５に吸い込まれる。外層エアカーテンＢは内層エアカーテンＡを保護し、冷気流出を減少させている。
【００２４】
本実施形態では、図３に示すように、内層冷気吹出口１３ａ及び外層冷気吹出口１５ａが３個の吹出口部材３１ａ〜３１ｃで囲まれ、この吹出口部材３１ａ〜３１ｃに整流器２５，２７が支持されている。
【００２５】
夫々の吹出口部材３１ａ〜３１ｃは、光透過性を有する材料（例えば樹脂）で形成され、ショーケース１の幅方向（図中手前から奥に向けて）に延び、その断面は略三角形状である。
【００２６】
この吹出口部材３１ａ〜３１ｃは、図４に示すように、光透過性を有する本体３５と、この本体３５の両端の開口部を封止するキャップ部３７とで構成されている。
【００２７】
本体３５の内部には蛍光灯収納部３２が形成され、ここには直径が１６ｍｍ管の蛍光灯（照明器）３３ａ〜３３ｃが収納され、この蛍光灯３３の両端が蛍光灯３３のソケットを兼ねるキャップ部３７で支持されている。直径が１６ｍｍ管の蛍光灯３３は、近年開発された蛍光灯である。
【００２８】
このショーケース１では、整流器２５，２７を通じて異なる温度帯の冷気が吹き出される。すなわち、内層用の整流器２５を通じて吹き出される冷気の温度が、外側の外層用の整流器２７を通じて吹き出される冷気の温度よりも低く設定されている。そのために、図３を参照して、中央の吹出口部材３１ｂの整流器２５側の面で最も多くの結露が発生する。また、そのほかの吹出口部材３１ａ〜３１ｃの側面にも多少の差はあれ結露が発生する。
【００２９】
本実施形態では、吹出口部材３１ａ〜３１ｃの蛍光灯収納部３２に、近年開発された細管からなる蛍光灯３３を、従来の結露防止用ヒータの代わりに挿入したので、この蛍光灯３３の熱によって、吹出口部材３１ａ〜３１ｃの温度低下が防止され、結露の発生が防止される。
【００３０】
従って、結露防止用ヒータを設ける必要がなくなり、低温ショーケース１の消費電力を低減できると共に、部品点数や組立工数が減少するので、低温ショーケース１の製造コストを低減できる。
【００３１】
この蛍光灯３３は結露防止用ヒータと同程度に細管であるので、吹出口部材３１ａ〜３１ｃを大型化する必要がない。
【００３２】
吹出口部材３１ａ〜３１ｃの蛍光灯収納部３２がキャップ部３７で封止されているので、内部に冷気が侵入することがなく、蛍光灯３３の熱で蛍光灯３３が保温されるので、照度の低下が防止される。
【００３３】
また、蛍光灯３３ｂ，３３ｃが収納された吹出口部材３１ｂ，３１ｃは、エアカーテンＡの外側であるため、比較的雰囲気温度が高く、蛍光灯３３ｂ、３３ｃの照度が低下せず、庫内上部５ａの照度が維持される。
【００３４】
エアカーテンが１層で構成される低温ショーケースでは、少なくとも、整流器の前面側に蛍光灯を収納した吹出口部材を設ければよい。
【００３５】
支持部材３１ａと整流器２５、２７とは一体に形成しても良く、一体に形成した場合には、低コスト化と製造工程の削減を図ることができる。
【００３６】
別の実施形態として、図４に示すように、吹出口部材３１ａ〜３１ｃの前面Ｃの内面に、例えば長手方向に向けて延びる複数条の断面三角状の凸体（光分散部）３９を形成してもよい。これによれば、断面三角状の凸体３９で光が分散されるので、蛍光灯３３が点灯している時に、ショーケース１の前面側から見てもまぶしくならないという効果が得られる。
【００３７】
更に、別の実施形態として、図４に示すように、本体３５の内面であって、蛍光灯３３よりも上部に位置する内面全域には、アルミニウム板等の光反射板４１を取り付けることが望ましい。具体的には、本体３５の前面Ｃの上部に跨るように光反射板４１が取り付けられる。
【００３８】
これによれば、蛍光灯３３の光が光反射板４１で反射して庫内５に導かれるので、庫内上部５ａが効率良く照明される。
【００３９】
キャップ部３７は本体３５の両端を塞ぐ蓋としての役割の他に、蛍光灯３３のソケットを兼ねた構造になっており、低コスト化と組立工数の削減を図っている。符号４３は蛍光灯３３に電気的に接続されるリード線である。
以上、一実施形態に基づいて本発明を説明したが、本発明はこれに限定されるものではない。本実施形態では、吹出口部材の断面は三角形状であるが、例えば長方形状でもよい。また、吹出口部材は蛍光灯の周囲を取り囲む必要はなく、例えば断面を略Ｖ字形状に形成し、開口するその上面を仕切板や断熱壁で塞ぐようにショーケース本体に設置してもよい。
【００４０】
また、本実施形態では、蛍光灯を収納した吹出口部材が３個設けられているが、少なくとも外層冷気吹出口と内層冷気吹出口との間（最も結露しやすい部分）の吹出口部材に蛍光灯を収納すればよい。
【００４１】
また、本実施形態では照明器として１６ｍｍ管の蛍光灯を用いているが、これに限定されるものではなく、構造上で設計が可能であれば、現行仕様の太い蛍光灯を用いることも可能である。
【００４２】
【発明の効果】
本発明によれば、温度の異なる冷風が吹き出す外層冷気吹出口と内層冷気吹出口との間の吹出口部材が最も結露しやすいため、この最も結露しやすい部分である外層冷気吹出口と内層冷気吹出口との間の吹出口部材を光透過性材料で形成し、この光透過性材料で形成した吹出口部材の内部に照明器を収納したので、収納部に収納された照明器の輻射熱や照明器が発する熱によって吹出口部材の温度が上昇し、吹出口部材における結露を防止することができる。従って、例えば結露防止用ヒータを設ける必要がなくなるので、低温ショーケースの消費電力を低減できると共に、部品点数や組立工数が減少するので、製造コストを低減できる。
【図面の簡単な説明】
【図１】本実施形態による低温ショーケースを示す斜視図である。
【図２】図１の低温ショーケースの内部構造を示す断面図である。
【図３】図２の低温ショーケースの冷気吹出口の構造を示す断面図である。
【図４】照明器を収納した支持部材を示す斜視図である。
【図５】従来の低温ショーケース上部の構造を示す断面図である。
【符号の説明】
１  低温ショーケース
５  庫内
１３ａ、１５ａ  冷気吹出口
３１  吹出口部材
３２  収納部
３３ａ〜３３ｃ  蛍光灯（照明器）
３７  キャップ部
３９  光分散部
４１  光反射板
【図１】
0003653401.tif 000002
【図２】
0003653401.tif 000003
【図３】
0003653401.tif 000004
【図４】
0003653401.tif 000005
【図５】
0003653401.tif 000006